(57)【要約】【目的】本発明は、治癒波動、生育光線等の作用により発毛育成効果のある黒鉛珪石を使用したカツラを提供することを目的とする。【構成】人間の頭部分を覆うべく設けられ、且つ薄頭髪部分に当接するカツラ装着体と、該装着体に設けられたカツラ毛髪体とから構成されるカツラであって、前記装着体が繊維シート、又は繊維ネットで装着時略半円弧状に形成され、しかも該繊維シート、又は繊維ネットには黒鉛珪石の粉粒体が設けられていることである。【選択図】図１
2005015988.tif 000002
【特許請求の範囲】
【請求項１】
人間の頭部分を覆うべく設けられ、且つ薄頭髪部分に当接するカツラ装着体と、該装着体に設けられたカツラ毛髪体とから構成されるカツラであって、前記装着体が繊維シート、繊維ネット、又は綿状体で装着時略半円弧状になるように形成され、しかも該繊維シート、繊維ネット、又は綿状体には黒鉛珪石の粉粒体が設けられていることを特徴とする黒鉛珪石を使用したカツラ。
【請求項２】
前記黒鉛珪石の粉体が、繊維シート、繊維ネット、又は綿状体に塗布、着設、埋設、又はその内部に組み込まれている請求項１記載の黒鉛珪石を使用したカツラ。
【請求項３】
前記黒鉛珪石の粉体が、繊維シート、繊維ネット、又は綿状体に積層状態で設けられている請求項１、又は２に記載の黒鉛珪石を使用したカツラ。
【発明の詳細な説明】
【０００１】
【発明の属する技術分野】本発明は、人間の頭部分に装着するカツラに関し、特に装着することで装着した頭皮部分の血行増進、生育増進作用を促しながらカツラとしての機能を有する黒鉛珪石（ブラックシリカ）を使用したカツラに関する。
【０００２】
【従来の技術】従来、薄い頭髪部分を被覆する、又は頭髪のボリームをアップさせるファッション性を主としたカツラが使用されている。
【０００３】上記のカツラは、装着感、通気性、自毛との一体感などが追求され、利便性があるものの、カツラの使用者にとって根本的な問題である薄い頭髪部分の増毛、育毛作用に関しは、その効果が皆無であった。
【０００４】そこで、特開平１０−２１９５０９号気体の「血行増進機能を備えるかつら」が考えられた。
このかつらは、かつらを構成する人工毛、合成樹脂製繊維ネット及び合成樹脂製繊維シートなどのかつら構成体の少なくとも一部が、合成樹脂素材と細かく砕いた微粉末の人工混合セラミック鉱石とを混合して成形し、又は合成繊維素材と微粉末の人工混合セラミック鉱石とを混合して成形したテープがかつら構成体の内周面に取り付けられている、又は接着剤と微粉末の人工混合セラミック鉱石とを混合して成形した微粉末がかつら構成体の内周面に点状、線状、面状に固着して形成されているものであります。
【０００５】上記かつらによれば、人工毛、合成樹脂製繊維ネット及び合成樹脂製繊維シートなどのかつら構成体が人工混合セラミック鉱石を備えることによって、かつらとして使用したとき、人体の許容範囲内の放射線やマイナスイオンの作用により、特に使用時に頭部の血行増進を図り、使用者の疲労を回復するものであります。
【０００６】
【発明が解決しようとする課題】しかしながら上記のようなカツラに使用する人工混合セラミック鉱石は、合成樹脂素材と細かく砕いた微粉末の人工混合セラミック鉱石とを混合して成形、合成繊維素材と微粉末の人工混合セラミック鉱石とを混合して成形、又は接着剤と微粉末の人工混合セラミック鉱石とを混合して成形する等混合することで、成形しているために、その製造工程が煩雑であり、又コストの面でも欠点があった。
【０００７】また、上記公報に記載のように、ここでいう人工混合セラミック鉱石とは、放射線やマイナスイオンを放出するミネラル鉱石で、花崗岩中の巨晶花崗岩（ベグマタイト）と呼ばれる石英、長石、雲母の大きい結晶の集まりの中に最大で０．５％含まれるフェルグソン石、褐レン石、モナズ石、ジルコンなどの希元素鉱物の含有量を２０％点度まで濃縮した粉末状の鉱石と記載され、放射線やマイナスイオンの作用により頭部の血行増進を図り、使用者の疲労を回復するのみで、増毛、生育作用まではないのが欠点であった。
【０００８】そこで、本発明は、このような問題点を鑑みてなされたものであり、治癒波動、生育光線等の作用により発毛育成効果のある黒鉛珪石を使用したカツラを提供することを課題とする。
【０００９】
【課題を解決するための手段】
即ち、本発明は上記のような課題を解決するために、請求項１に記載のように、人間の頭部分を覆うべく設けられ、且つ薄頭髪部分に当接するカツラ装着体と、該装着体に設けられたカツラ毛髪体とから構成されるカツラであって、前記装着体が繊維シート、繊維ネット、又は綿状体で装着時略半円弧状になるように形成され、しかも該繊維シート、繊維ネット、又は綿状体には黒鉛珪石の粉粒体が設けられていることを特徴とする。
【００１０】また、請求項２に記載のように、黒鉛珪石の粉体が、繊維シート、繊維ネット、又は綿状体に塗布、着設、埋設、又はその内部に組み込まれていることである。
【００１１】また、請求項３に記載のように、黒鉛珪石の粉体が、繊維シート、繊維ネット、又は綿状体に積層状態で設けられていることである。
【００１２】
【作用】即ち、本発明の黒鉛珪石を使用したカツラは、カツラ装着体を人間の頭部分を覆うように装着して、カツラ毛髪体部分で毛髪を覆う。この際、装着体が繊維シート、繊維ネット、又は綿状体で装着時に略半円弧状になるように形成され、しかも該繊維シート、繊維ネット、又は綿状体には黒鉛珪石の粉粒体が設けられているために、カツラ装着時に該黒鉛珪石の粉粒体より、免疫機能等に対して非常に高い波動を放射するとともに、マイナスイオンにより血液の浄化、細胞の新陳代謝を活発にする等の作用があり、さらに遠赤外線のうち細胞波長に最も近い波長４〜１４ミクロンの生育光線を放出して、毛髪の毛根部分まで刺激を与えて、毛幹の育成を促進することができ、この結果として発毛育成効果があることとなる。
【００１３】また、黒鉛珪石の粉体を、繊維シート、又は繊維ネットに塗布、着設、埋設、又はその内部に組み込むことで構成することにより、その製造工程の簡易化を図ることが可能となる。
【００１４】さらに、黒鉛珪石の粉体を、繊維シート、又は繊維ネットに積層状態で設けることにより、頭皮部分全体に免疫機能等に対して非常に高い波動を放射するとともに、マイナスイオン効果を与えることができる。
【００１５】このように、本発明の黒鉛珪石を使用したカツラは、発毛育成効果まで対応したカツラであります。
【００１６】
【発明の実施の形態】本発明の実施の形態を、以下、図面に基づいて具体的に説明する。
【００１７】添付する図面は、本発明の各実施例を示し、図１は、本発明の第１実施の形態を示すカツラを示す概略側面図であり、図２は、本発明の他実施の形態を示すカツラを示す概略側面図であり、図３（イ）は、黒鉛珪石の粉粒体の塗布された繊維シートを示す概略説明図であり、（ロ）、（ハ）は黒鉛珪石の粉粒体の塗布された他実施例の繊維シートを示す概略説明図であり、図４（イ）は、黒鉛珪石の遠赤外線についての説明図であり、（ロ）は黒鉛珪石のマイナスイオン濃度測定結果表あり、図５は（イ）黒鉛珪石の波動測定表であり、（ロ）は物質波のトリマリンとの比較表であり、図６は、生育光線による発毛の説明図である。
【００１８】本発明のカツラ１は、人工毛（すでに公知の人毛を使用する場合も含まれる。）で形成されたカツラ毛髪体３と、該カツラ毛髪体３が設けられ、且つ頭部に装着した際、略半円弧状に形成されるように組み合わされた装着体２とから構成されている。
【００１９】上記装着体２は、ポリビニル、ポリアミド、ポリエステル、又はそれらる混合素材等の公知の合成樹脂素材、又は公知の天然素材を使用し、帯状に形成された複数のシート体４…を装着した際略半円弧状になるように組み合わせて形成されている。尚、装着体２の構成は前記複数のシート体４…に限定されてものでなく、紐体を組み合わせて円弧状のネットに形成することも可能であり、さらに円弧面（図示せず）として形成することも可能であり、薄い綿状体を円弧状に形成することも可能である。要は、使用者の頭部の形状に対応し易く、且つ加工が容易な形状であれば、装着体２の構成は特に問うものではない。
【００２０】上記装着体２には、天然鉱石である黒鉛珪石（ブラックシリカ）の微粒子状の粉粒体５が塗布されている。この黒鉛珪石は、遠赤外線効果、マイナスイオン効果に特に優れております。
ここで、黒鉛珪石の遠赤外線効果とは、４〜１，０００ミクロンの遠赤外線の中で、特に４〜１４ミクロン程度の波長帯を通称生育光線と呼びこの生育光線を主として放出し血行等をよくして治癒することである。
また、黒鉛珪石のマイナスイオン効果とは、血液の浄化、細胞の新陳代謝を活発にする、免疫力を高める等の効果です。
【００２１】尚、黒鉛珪石の粉粒体５は繊維シートに塗布したが、粉粒体５の取り付けに塗布に限定されるものでなく、繊維シートに黒鉛珪石の粉粒体５を接着剤で着設したり、又は繊維シートに黒鉛珪石の粉粒体５を埋設したり、又は繊維シートの内部に黒鉛珪石の粉粒体５を組み込むことで取り付けることもも可能であり、さらに黒鉛珪石の粉粒体を積層状態で繊維シートに設けることも可能である。
【００２２】次に上記カツラ１を使用して、発毛・育毛の効果について説明する。
【００２３】先ず、使用者は頭部に装着体２部分が頭皮部分に当接するように装着すると、該装着体２を構成している複数のシート体４…に塗布された粉粒体５…より、生育光線（１４ミクロン遠赤外線）が作用し、頭部の血液や細胞そのものを活発化させ、新陳代謝を促進する。
具体的には、頭髪を形成する毛幹２１、毛根２２のうち、毛根２２部分に生育光線が作用して刺激を与えることとなり、毛母細胞２３が毛細血管２５で運ばれ毛乳頭２４によって吸収された栄養を使って細胞分裂を繰り返し髪を作りだす作用を促進することとなる。従って、新しい毛根２２の形成され、髪の発毛・育毛を促進することとなる。
【００２４】また、粉粒体５…より高い濃度のマイナスイオンが発生し、頭部の血液の浄化、免疫力を高める。
【００２５】これら各効果により、頭部の発毛・育毛を促進することができることとなり、カツラ本来の効果を保持した状態で、さらに、根本的な原因である毛髪の薄い部分の発毛・育毛という優れた効果を奏することができる。
【００２６】また、黒鉛珪石の粉粒体５は、常温で遠赤外線を放出するために、ストレスが多い人体の予防の効果も含まれることができ、健康維持の効果も期待できる。
【００２７】尚、上記実施例では、装着体２に黒鉛珪石（ブラックシリカ）の微粒子状の粉粒体５一定の状態で塗布したが、本発明において、粉粒体５の塗布はこれに限定されるものでなく、髪の発育状況に応じて、例えば、髪の薄い部分に他の部分に比し密集した状態で塗布することで、その部分の生育光線をより発生し易くすることも可能である。
【００２８】また、上記実施例では、装着体２を頭皮部分に当接するように設けたが、本発明の実施は、これに限定されるものでなく、例えば、毛髪の上に装着することにより粉粒体５よりの生育光線を距離をおいて頭皮部分に作用させることも可能である。
【００２９】
【発明の効果】以上説明したように、本発明の黒鉛珪石の設けられたカツラは、カツラ本来の頭部被覆、ファッション性以外に、毛髪の薄い部分の発毛・育毛を促進することができるという顕著な効果を奏することができた。
【００３０】また、装着体に黒鉛珪石の粉粒体を塗布して構成しているために、その製造が容易であるとともに、装着体に均一に設けられることとなり頭部に満遍なく発毛・育毛の効果を与えることができることとなる。
【００３１】さらに、黒鉛珪石の粉粒体を装着体に積層して設けることで、発毛．育毛の効果の強度を変更することも可能である。
【図面の簡単な説明】
【図１】は、本発明の第１実施の形態を示すカツラを示す概略説明図である。
【図２】は、本発明の他実施の形態を示すカツラを示す概略側面図である。
【図３】（イ）は、黒鉛珪石の粉粒体の塗布された繊維シートを示す概略説明図であり、（ロ）、（ハ）は黒鉛珪石の粉粒体の塗布された他実施例の繊維シートを示す概略説明図である。
【図４】（イ）は、黒鉛珪石の遠赤外線についての説明図であり、（ロ）は黒鉛珪石のマイナスイオン濃度測定結果表ある。
【図５】（イ）は、黒鉛珪石の波動測定表であり、（ロ）は物質波のトリマリンとの比較表である。
【図６】は、生育光線による発毛の説明図である。
【符号の説明】
１…カツラ
【図１】
2005015988.tif 000003
【図２】
2005015988.tif 000004
【図３】
2005015988.tif 000005
【図４】
2005015988.tif 000006
【図５】
2005015988.tif 000007
【図６】
2005015988.tif 000008